(57)【要約】【課題】突条が設けられた金属外皮とこれに対向する金属外皮との間に樹脂芯材が充填された構造であっても、反りの発生を抑制できるサンドイッチパネルを提供する。【解決手段】本発明は、第１の金属外皮２と第２の金属外皮３との間に樹脂芯材５が充填されたサンドイッチパネル１である。本発明のサンドイッチパネル１は、第１の金属外皮２に設けられた突条２２と、第２の金属外皮３に設けられ突条２２の長さ方向に平行な溝部３２とを備えている。【選択図】図１
2015117549.tif 000002
【特許請求の範囲】
【請求項１】
第１の金属外皮と第２の金属外皮との間に樹脂芯材が充填されたサンドイッチパネルであって、
前記第１の金属外皮に設けられた突条と、
前記第２の金属外皮に設けられ前記突条の長さ方向に平行な溝部と
を備えている
ことを特徴とするサンドイッチパネル。
【請求項２】
前記溝部は、前記突条の長さ方向とは直角な方向に一定の間隔をおいて並設された複数の凹溝により構成されている
ことを特徴とする請求項１記載のサンドイッチパネル。
【請求項３】
前記複数の凹溝のうち、少なくとも１つの凹溝の幅が、他の凹溝の幅よりも短く形成されている
ことを特徴とする請求項２記載のサンドイッチパネル。
【請求項４】
前記溝部は、サンドイッチパネルの厚さ方向にみて、突条の存在する領域に設けられている
ことを特徴とする請求項１乃至請求項３のいずれか一項に記載のサンドイッチパネル。
【発明の詳細な説明】
【技術分野】
【０００１】
本発明は、サンドイッチパネルに関し、詳しくは、金属外皮の間に樹脂芯材が充填されたサンドイッチパネルに関する。
【背景技術】
【０００２】
特許文献１には、従来のサンドイッチパネルが開示されている。この特許文献１記載のサンドイッチパネルは、２枚の金属外皮の間に断熱材が充填されている。この断熱材は、例えばフェノールフォームやウレタンフォーム等の樹脂発泡体によって構成されている。
【０００３】
このサンドイッチパネルの上面には、山部が突設されている。山部は、金属外皮の突出した箇所と裏側の金属外皮との間に、樹脂発泡体が充填されることで形成されている。
【先行技術文献】
【特許文献】
【０００４】
【特許文献１】特開２００７−４００２７号公報
【発明の概要】
【発明が解決しようとする課題】
【０００５】
ところで、この種のサンドイッチパネルは、例えば、樹脂原料を２つの金属外皮の間に流し込み、その後、流し込まれた樹脂原料を加熱することで化学反応および発泡をさせて形成される。この樹脂材は、分子間力およびアンカー効果等によって自己接着力を発揮するため、２つの金属外皮に接着する。
【０００６】
この後、加熱されたサンドイッチパネルは、常温に戻される。このとき、加熱されて発泡した芯材は、常温にまで温度が低下すると、発泡直後の体積から僅かに収縮が生じる。
【０００７】
このように、この種のサンドイッチパネルは、芯材が常温に戻ると、自己接着力と収縮力とにより、厚み方向において、芯材の中央側に向かう力が生じる。この自己接着力と収縮力とにより生じる力は、金属外皮の内面の面積に応じて大きくなるため、山部においては、平坦な裏側の金属外皮に掛かる力よりも、突曲した表側の金属外皮に掛かる力のほうが大きくなる。また、平坦な裏側の金属外皮に働く収縮力は、金属外皮に直角な方向に沿って負荷され、山部が形成された表側の金属外皮に働く収縮力は、山部の頂面に直角な方向だけでなく、山部の傾斜に対して直角な方向にも負荷される。
【０００８】
この結果、従来のこの種のサンドイッチパネルは、全体として見ると、表側の金属外皮側に向かって反りが生じてしまう場合があった。
【０００９】
本発明は、上記事情に鑑みてなされたものであり、その目的とするところは、突条が設けられた金属外皮とこれに対向する金属外皮との間に樹脂芯材が充填された構造であっても、反りの発生を抑制できるサンドイッチパネルを提供することにある。
【課題を解決するための手段】
【００１０】
本発明のサンドイッチパネルは、第１の金属外皮と第２の金属外皮との間に樹脂芯材が充填されたサンドイッチパネルであって、前記第１の金属外皮に設けられた突条と、前記第２の金属外皮に設けられ前記突条の長さ方向に平行な溝部とを備えていることを特徴とする。
【００１１】
また、このサンドイッチパネルにおいて、前記溝部は、前記突条の長さ方向とは直角な方向に一定の間隔をおいて並設された複数の凹溝により構成されていることが好ましい。
【００１２】
また、このサンドイッチパネルにおいて、前記複数の凹溝のうち、少なくとも１つの凹溝の幅が、他の凹溝の幅よりも短く形成されていることが好ましい。
【００１３】
また、このサンドイッチパネルにおいて、前記溝部は、サンドイッチパネルの厚さ方向にみて、突条の存在する領域に設けられていることが好ましい。
【発明の効果】
【００１４】
本発明のサンドイッチパネルによれば、突条が設けられた金属外皮とこれに対向する金属外皮との間に樹脂芯材が充填された構造であっても、反りの発生を抑制することができる。
【図面の簡単な説明】
【００１５】
【図１】実施形態１のサンドイッチパネルの断面図である。
【図２】実施形態２のサンドイッチパネルの要部断面図である。
【図３】実施形態３のサンドイッチパネルの要部断面図である。
【図４】実施形態４のサンドイッチパネルの要部断面図である。
【図５】実施形態５のサンドイッチパネルの要部断面図である。
【図６】実施形態６のサンドイッチパネルの要部断面図である。
【図７】実施形態７のサンドイッチパネルの要部断面図である。
【図８】実施形態８のサンドイッチパネルの要部断面図である。
【図９】測定方法を説明するための図である。
【図１０】（ａ）は実施例１を示し（ｂ）は実施例２を示し（ｃ）は比較例を示す。
【図１１】（ａ）は実施例３を示し（ｂ）は実施例４を示し（ｃ）は比較例を示す。
【図１２】（ａ）は実施例５を示し（ｂ）は実施例６を示し（ｃ）は比較例を示す。
【図１３】（ａ）は実施例７を示し（ｂ）は実施例８を示し（ｃ）は比較例を示す。
【発明を実施するための形態】
【００１６】
以下、本発明の実施形態について添付図面に基づいて説明する。
【００１７】
[実施形態１]
実施形態１のサンドイッチパネル１は、屋根用のサンドイッチパネルである。サンドイッチパネル１は、例えば、屋根下地（図示せず）上に設けられる。なお、屋根下地は、例えば、母屋によって構成される。
【００１８】
サンドイッチパネル１は、第１の金属外皮２と、第２の金属外皮３と、この第１の金属外皮２と第２の金属外皮３との間に設けられた樹脂芯材５とを備えている。サンドイッチパネル１は、屋根下地上に設置されることで、屋根勾配が形成される。サンドイッチパネル１は、屋根勾配方向（例えば、軒棟方向）に長さを有し、この屋根勾配方向とは直角な方向（例えば、母屋の長手方向）に幅を有している。また、サンドイッチパネル１は、第１の金属外皮２から第２の金属外皮３に向かう方向に平行な方向に厚さを有している。なお、サンドイッチパネル１の厚さ方向において、第１の金属外皮２側を表側とし、第２の金属外皮３側を裏側として定義する。
【００１９】
第１の金属外皮２は、サンドイッチパネル１が屋根下地上に設置されると、第２の金属外皮３よりも上方に配置され、これにより屋根面を構成する。第１の金属外皮２は、例えば、亜鉛めっき鋼板、塗装鋼板、ガルバリウム鋼板（登録商標）、ステンレス鋼板等により構成される。第１の金属外皮２は、平坦部２１と、突条２２とを有している。平坦部２１と突条２２とは、サンドイッチパネル１の幅方向において、交互に形成されている。
【００２０】
平坦部２１は、サンドイッチパネル１の幅方向に平行な幅と、サンドイッチパネル１の長さ方向に平行な長さとを有している。平坦部２１は、第２の金属外皮３と平行に配置される。サンドイッチパネル１が設置された状態では、雨水等が平坦部２１の上面を流下する。
【００２１】
突条２２は、平坦部２１から表側に向かって突出している。突条２２は、表側が凸となり、且つ裏側が凹となるように構成されており、第１の金属外皮２を表側に凸となるように折り曲げる（突曲する）ことで形成されている。突条２２は、サンドイッチパネル１の長さ方向に平行な方向に長さを有している。突条２２は、サンドイッチパネル１の長さ方向の全長に亙って連続して形成されている。
【００２２】
突条２２は、サンドイッチパネル１の幅方向において所定の間隔をおいて複数設けられている。突条２２は、サンドイッチパネル１の幅方向と平行な方向に幅を有している。突条２２は、頂部２３と、傾斜部２４とにより構成されている。傾斜部２４は、頂部２３の幅方向の両側から下方に向かって延びている。両傾斜部２４は、下方に向かうほど、互いに離れるように傾斜している。傾斜部２４の下端は、平坦部２１に連続している。
【００２３】
第１の金属外皮２は、幅方向の両端に設けられた表側接続部２５を有している。本実施形態の第１の金属外皮２は、表側接続部２５として、受け部２６と、覆い部２７とを備えている。受け部２６は、サンドイッチパネル１の幅方向の一方の端部に設けられており、当該端部に位置する平坦部２１から上方に向かって突出している。受け部２６は、断面略Ｃ字状に形成されている。受け部２６には、隣接配置されたサンドイッチパネル１の覆い部２７が上方から被せられ、これにより当該覆い部２７に接続される。
【００２４】
覆い部２７は、サンドイッチパネル１の幅方向において、受け部２６とは反対側の端部に設けられている。覆い部２７は、平坦部２１の当該端部側の端縁から上方に向かって突出している。覆い部２７は、隣接配置されたサンドイッチパネル１の受け部２６に上方から被せるようにして、受け部２６に接続される。
【００２５】
覆い部２７の裏面にはパッキン４が固定されている。パッキン４は、サンドイッチパネル１の設置状態では、受け部２６と覆い部２７との間に挟まれる。また、受け部２６の側方にもパッキン４が固定される。この受け部２６の側方のパッキン４は、サンドイッチパネル１の設置状態では、隣り合うサンドイッチパネル１同士の間に挟まれる。
【００２６】
このような構成の第１の金属外皮２の裏側（設置状態では第１の金属外皮２の下方）には、所定の間隔をおいて、第２の金属外皮３が配置される。
【００２７】
第２の金属外皮３は、サンドイッチパネル１の幅方向に平行な方向に幅を有し、サンドイッチパネル１の長さ方向に平行な方向に長さを有している。第２の金属外皮３は、第１の金属外皮２の下方に所定の間隔をおいて配置されている。第２の金属外皮３は、第１の金属外皮２と平行に配置される。第２の金属外皮３は、第１の金属外皮２と同様、例えば、亜鉛めっき鋼板、塗装鋼板、ガルバリウム鋼板（登録商標）、ステンレス鋼板等により構成される。第２の金属外皮３は、平面部３１と溝部３２とを備えている。
【００２８】
溝部３２は、サンドイッチパネル１の長さ方向に平行な方向に長さを有しており、言い換えると、突条２２の長さ方向に平行に形成されている。溝部３２は、複数の凹溝３３によって構成されている。
【００２９】
凹溝３３は、第２の金属外皮３の幅方向において、一定の間隔をおいて並んで設けられている。凹溝３３は、平面部３１から第１の金属外皮２側に凹没している。凹溝３３は、第２の金属外皮３を第１の金属外皮２側に折り曲げることで形成されており、すなわち、第２の金属外皮３を突曲させることで形成されている（つまり、凹溝３３は第２の金属外皮３に凹設されている。）。
【００３０】
凹溝３３は、サンドイッチパネル１の長さ方向と平行な方向に長さを有し、サンドイッチパネル１の幅方向と平行な方向に幅を有し、サンドイッチパネル１の厚さ方向と平行な方向に深さを有している。凹溝３３は、断面略コ字状に形成される。以下、図１において、中央に設けられた凹溝３３を第１の溝３４とし、正面視左側に設けられた凹溝３３を第２の溝３５とし、正面視右側に設けられた凹溝３３を第３の溝３６として定義する。
【００３１】
第２の溝３５の幅と第３の溝３６の幅は、例えば、２５〜３５ｍｍ（好ましくは、約３０ｍｍ）であり、両者は同じ大きさである。また、第２の溝３５の幅（または、第３の溝３６の幅）は、第１の溝３４の幅（例えば、５０〜６０ｍｍ、好ましくは、約５０ｍｍ）よりも短く形成されている。第１の溝３４の幅は、突条２２の頂部２３と同じ大きさに形成されている。すなわち、第２の溝３５の幅（または、第３の溝３６の幅）の寸法は、突条２２の頂部２３の幅よりも小さい。
【００３２】
また、第１の溝３４の深さと第２の溝３５の深さは、例えば、５〜１０ｍｍ、好ましくは、約１０ｍｍに形成される。なお、本発明において、第１の溝３４の深さと第２の溝３５の深さは同じでなくてもよく、凹溝３３の幅の大きさ及び深さの大きさは、特に限定されない。
【００３３】
この凹溝３３は、第１の金属外皮２の突条２２の存在する位置に対応するように配置されている。すなわち、凹溝３３は、サンドイッチパネル１の厚さ方向に見て、突条２２の存在する領域に設けられている。
【００３４】
なお、ここで言う「突条２２の存在する領域」とは、厳密な意味での「突条２２の存在する領域」だけを言うのではなく、「突条２２の存在する領域」とみなせる範囲であれば、当該領域に含むものとする。すなわち、本実施形態においては、凹溝３３の大部分が突条２２の存在する領域内に位置していれば、「突条２２の存在する領域」の範疇に含まれる。
【００３５】
また、突条２２の傾斜部２４と平坦部２１との境界Ｋと、凹溝３３との間の最短距離Ａは、平坦部２１における第１の金属外皮２と第２の金属外皮３との間の最短距離ｔ（例えばｔ＝３５ｍｍ）よりも短くならないように形成されている。つまり、本実施形態のサンドイッチパネルは、距離Ａ≧距離ｔとなるよう構成される。
【００３６】
また、第２の金属外皮３は、幅方向の両端に設けられた裏側接続部３７を有している。本実施形態の第２の金属外皮３は、裏側接続部３７として、突起部３８と、挿入部３９とを備えている。突起部３８は、第２の金属外皮３の幅方向の一方の端部に設けられている。言い換えると、突起部３８は、サンドイッチパネル１の幅方向において、受け部２６と同じ側の端部に設けられている。突起部３８は、第２の金属外皮３を折り返すことで形成されている。突起部３８は、隣接配置されるサンドイッチパネル１の挿入部３９に挿入される。
【００３７】
挿入部３９は、第２の金属外皮３の幅方向において、突起部３８側とは反対側に設けられている。言い換えると、挿入部３９は、サンドイッチパネル１の幅方向において、覆い部２７と同じ側の端部に設けられている。挿入部３９は横倒しＬ字状に屈曲形成されている。挿入部３９は、第２の金属外皮３の平面部３１に連続するように設けられている。
【００３８】
このような第１の金属外皮２と第２の金属外皮３との間には、樹脂芯材５が充填される。樹脂芯材５は、例えば、ポリイソシアヌレートフォームや、硬質ポリウレタンフォーム等の断熱性に優れた発泡性の樹脂によって構成される。
【００３９】
樹脂芯材５は、自己接着力を有している。樹脂芯材５は、この自己接着力によって、第１の金属外皮２の裏面（第２の金属外皮３との対向面）と、第２の金属外皮３の表面（第１の金属外皮２との対向面）とに強固に密着する。
【００４０】
このように構成されたサンドイッチパネル１は、例えば、次のようにして製造される。
【００４１】
第１の金属外皮２を、表側が下方に且つ裏側が上方に向くようにして配置する。この状態で、第１の金属外皮２の上面（第２の金属外皮３に対向する面）の全面に亙って、発泡前の樹脂芯材５（流動性の樹脂材）を載せる。この後、この樹脂材の上に第２の金属外皮３を載せる。
【００４２】
次いで、第１の金属外皮２と樹脂材と第２の金属外皮３とを加熱し、これにより、樹脂材を発泡させる。この状態で本実施形態のサンドイッチパネル１は完成するが、加熱したことで高温になっているため、当該サンドイッチパネル１を冷却して、常温にまで温度低下させる。
【００４３】
このとき、サンドイッチパネル１には、芯材の発泡直後の自己接着力と、芯材が発泡直後の体積からやや収縮することとによって、幅方向の両端が上方側（第１の金属外皮２側）に変形するように反らせる力が生じる（以下、これを上方側に反るという）。幅方向においてサンドイッチパネル１を上方側に反らせる力による当該サンドイッチパネル１の変形量は、幅方向の微小区間で見ると僅かであるが、第２の金属外皮３の平面部３１が幅方向に長くなると、その変形量が積算されて反りが大きく現われてしまう。
【００４４】
これに対し、本実施形態のサンドイッチパネル１は、第２の金属外皮３に突条２２の長さ方向に平行な溝部３２が設けられており、これにより、第２の金属外皮３の平面部３１の幅方向の長さが短く区切られている。このように、第２の金属外皮３の平面部３１が溝部３２によって区切られると、平面部３１の幅方向の長さが短くなる。この結果、サンドイッチパネル１に生ずる反りを抑制することができる。
【００４５】
特に、本実施形態のサンドイッチパネル１は、溝部３２が、突条２２の長さ方向とは直角な方向に一定の間隔をおいて並設された複数の凹溝３３により構成されているため、平面部３１の幅方向の長さをより一層短くすることができる。
【００４６】
また、一般に、サンドイッチパネル１を運搬する際には、サンドイッチパネル１を厚さ方向に積み上げて運ぶ。このとき、第１の金属外皮２の突条２２には、別のサンドイッチパネル１の第２の金属外皮３が載置される。この状態において、下方のサンドイッチパネル１の突条２２の幅寸法が、上方のサンドイッチパネル１の溝部３２の幅寸法以下の場合、突条２２が溝部３２に嵌まり込んでしまうことがある。この場合、施工者は、上下のサンドイッチパネル１，１を引き離す必要があって、施工時に面倒な作業が増えるという問題が生じる。
【００４７】
これに対し、本実施形態のサンドイッチパネル１は、第２の溝３５の幅および第３の溝３６の幅が、第１の溝３４の幅よりも小さく（短く）形成されている。すなわち、反り抑制のために凹溝３３の幅をできる限り大きく形成した場合であっても、少なくとも１つの凹溝３３が他の凹溝３３の幅よりも短く形成されている。このため、運搬の際にサンドイッチパネル１を積み重ねても、突条２２が溝部３２に嵌まり込んでしまうのを防ぐことができる。この結果、施工者は、サンドイッチパネル１の施工性を低下させてしまうのを防ぐことができる。
【００４８】
また、本実施形態の溝部３２は、サンドイッチパネル１の厚さ方向にみて、突条２２の存在する領域に設けられているため、サンドイッチパネル１の厚さ方向の大きさが、一定の大きさよりも小さくなるのを防ぐことができる。すなわち、サンドイッチパネル１の突条２２の存在する領域以外に溝部３２が設けられると、サンドイッチパネル１の厚さ方向の大きさが、溝部３２の深さだけ短くなる。しかし、本実施形態のサンドイッチパネル１では、溝部３２が突条２２の存在する領域に溝部３２が設けられているため、サンドイッチパネル１の厚さ方向の長さが一定の大きさよりも小さくなるのを防ぐことができ、これにより、断熱性が低下するのを抑制することができる。
【００４９】
[実施形態２]
次に、実施形態２について図２に基づいて説明する。なお、本実施形態は実施形態１と大部分において同じであるため、同じ部分においては同符号を付して説明を省略し、主に異なる部分について説明する。
【００５０】
本実施形態のサンドイッチパネル１は、実施形態１と同様、第１の金属外皮２と、第２の金属外皮３と、樹脂芯材５とを備えている。第１の金属外皮２には、表側に向かって突条２２が突出している。第２の金属外皮３には、突条２２の長さ方向に平行な溝部３２が設けられている。
【００５１】
本実施形態のサンドイッチパネル１は、溝部３２として、幅方向の中央に１つの凹溝３３が設けられているが、それ以外には凹溝３３が設けられておらず、この点で実施形態１のサンドイッチパネル１の構造と異なっている。
【００５２】
すなわち、第２の金属外皮３は、平面部３１と溝部３２とを備えている。溝部３２（凹溝３３）は、第２の金属外皮３の幅方向の中央に設けられている。なお、溝部３２の幅と深さは、第１の実施形態の第１の溝３４と同じである。
【００５３】
このような構成のサンドイッチパネル１であっても平面部３１が溝部３２によって区切られているため、溝部３２が設けられていないものよりも、反りを抑制することができる。
【００５４】
[実施形態３]
次に、実施形態３について図３に基づいて説明する。なお、本実施形態は実施形態１と大部分において同じであるため、同じ部分においては同符号を付して説明を省略し、主に異なる部分について説明する。
【００５５】
本実施形態のサンドイッチパネル１は、実施形態１と同様、第１の金属外皮２と、第２の金属外皮３と、樹脂芯材５とを備えている。第１の金属外皮２には、表側に向かって突条２２が突出している。第２の金属外皮３には、突条２２の長さ方向に平行な溝部３２が設けられている。また、本実施形態の凹溝３３の全ては、サンドイッチパネル１の厚さ方向にみて、突条２２の存在する領域に設けられている。
【００５６】
本実施形態のサンドイッチパネル１は、複数の凹溝３３が全て同じ形状に形成されており、この点で実施形態１のサンドイッチパネル１の構造と異なっている。
【００５７】
本実施形態の凹溝３３は、実施形態１における第２の溝３５または第３の溝３６と同じ形状に形成される。具体的に、本実施形態の凹溝３３の幅は、およそ２５ｍｍに形成されている。また、凹溝３３の深さはおよそ５ｍｍに形成される。
【００５８】
このような構成のサンドイッチパネル１であっても平面部３１が溝部３２によって区切られているため、溝部３２が設けられていないものよりも、反りを抑制することができる。
【００５９】
また、全ての凹溝３３の幅が突条２２の頂部２３の幅よりも小さく形成されているため、サンドイッチパネル１を積み重ねても、突条２２が凹溝３３に嵌まり込んでしまうのを防ぐことができる。
【００６０】
[実施形態４]
次に、実施形態４について図４に基づいて説明する。なお、本実施形態は実施形態１と大部分において同じであるため、同じ部分においては同符号を付して説明を省略し、主に異なる部分について説明する。
【００６１】
本実施形態のサンドイッチパネル１は、実施形態１と同様、第１の金属外皮２と、第２の金属外皮３と、樹脂芯材５とを備えている。第１の金属外皮２には、表側に向かって突条２２が突出している。第２の金属外皮３には、突条２２の長さ方向に平行な溝部３２が設けられている。
【００６２】
本実施形態のサンドイッチパネル１は、複数の凹溝３３が全て同じ形状に形成されており、この点で実施形態１のサンドイッチパネル１の構造と異なっている。また、本実施形態の凹溝３３の全ては、サンドイッチパネル１の厚さ方向にみて、突条２２の存在する領域とはずれた箇所に設けられている。
【００６３】
このような構成のサンドイッチパネル１であっても平面部３１が溝部３２によって区切られているため、溝部３２が設けられていないものよりも、反りを抑制することができる。
【００６４】
また、実施形態３のサンドイッチパネル１と同様に、全ての凹溝３３の幅が突条２２の頂部２３の幅よりも小さく形成されているため、サンドイッチパネル１を積み重ねても、突条２２が凹溝３３に嵌まり込んでしまうのを防ぐことができる。
【００６５】
[実施形態５]
次に、実施形態５について図５に基づいて説明する。なお、本実施形態は実施形態１と大部分において同じであるため、同じ部分においては同符号を付して説明を省略し、主に異なる部分について説明する。
【００６６】
本実施形態のサンドイッチパネル１は、実施形態１と同様、第１の金属外皮２と、第２の金属外皮３と、樹脂芯材５とを備えている。第１の金属外皮２には、表側に向かって突条２２が突出している。第２の金属外皮３には、突条２２の長さ方向に平行な溝部３２が設けられている。また、本実施形態の凹溝３３の全ては、サンドイッチパネル１の厚さ方向にみて、突条２２の存在する領域に設けられている。
【００６７】
本実施形態のサンドイッチパネル１は、複数の凹溝３３が全て同じ形状に形成されており、この点で実施形態１のサンドイッチパネル１の構造と異なっている。なお、本実施形態の凹溝３３は、具体的に、幅がおよそ６０ｍｍに形成され、深さがおよそ８ｍｍに形成される。
【００６８】
このような構成のサンドイッチパネル１であっても平面部３１が溝部３２によって区切られているため、溝部３２が設けられていないものよりも、反りを抑制することができる。
【００６９】
[実施形態６]
次に、実施形態６について図６に基づいて説明する。なお、本実施形態は実施形態１と大部分において同じであるため、同じ部分においては同符号を付して説明を省略し、主に異なる部分について説明する。
【００７０】
本実施形態のサンドイッチパネル１は、実施形態１と同様、第１の金属外皮２と、第２の金属外皮３と、樹脂芯材５とを備えている。第１の金属外皮２には、表側に向かって突条２２が突出している。第２の金属外皮３には、突条２２の長さ方向に平行な溝部３２が設けられている。また、本実施形態の凹溝３３の全ては、サンドイッチパネル１の厚さ方向にみて、突条２２の存在する領域に設けられている。
【００７１】
本実施形態のサンドイッチパネル１は、複数の凹溝３３が全て同じ形状に形成されており、この点で実施形態１のサンドイッチパネル１の構造と異なっている。なお、本実施形態の凹溝３３は、具体的に、幅がおよそ６０ｍｍに形成され、深さがおよそ５ｍｍに形成される。
【００７２】
このような構成のサンドイッチパネル１であっても平面部３１が溝部３２によって区切られているため、溝部３２が設けられていないものよりも、反りを抑制することができる。
【００７３】
[実施形態７]
次に、実施形態７について図７に基づいて説明する。なお、本実施形態は実施形態１と大部分において同じであるため、同じ部分においては同符号を付して説明を省略し、主に異なる部分について説明する。
【００７４】
本実施形態のサンドイッチパネル１は、実施形態１と同様、第１の金属外皮２と、第２の金属外皮３と、樹脂芯材５とを備えている。第１の金属外皮２には、表側に向かって突条２２が突出している。第２の金属外皮３には、突条２２の長さ方向に平行な溝部３２が設けられている。また、本実施形態の凹溝３３の全ては、サンドイッチパネル１の厚さ方向にみて、突条２２の存在する領域に設けられている。
【００７５】
本実施形態のサンドイッチパネル１は、複数の凹溝３３が全て同じ形状に形成されており、この点で実施形態１のサンドイッチパネル１の構造と異なっている。また、本実施形態の凹溝３３は、溝奥に向かうほど対向間の距離が短くなる断面Ｖ字状の溝（Ｖ溝６）によって構成される。なお、本実施形態の凹溝３３は、具体的に、幅がおよそ５ｍｍに形成され、深さがおよそ５ｍｍに形成される。
【００７６】
このような構成のサンドイッチパネル１であっても平面部３１が溝部３２によって区切られているため、溝部３２が設けられていないものよりも、反りを抑制することができる。
【００７７】
[実施形態８]
次に、実施形態８について図８に基づいて説明する。なお、本実施形態は実施形態１と大部分において同じであるため、同じ部分においては同符号を付して説明を省略し、主に異なる部分について説明する。
【００７８】
本実施形態のサンドイッチパネル１は、実施形態１と同様、第１の金属外皮２と、第２の金属外皮３と、樹脂芯材５とを備えている。第１の金属外皮２には、表側に向かって突条２２が突出している。第２の金属外皮３には、突条２２の長さ方向に平行な溝部３２が設けられている。また、本実施形態の凹溝３３の全ては、サンドイッチパネル１の厚さ方向にみて、突条２２の存在する領域に設けられている。
【００７９】
本実施形態のサンドイッチパネル１は、複数の凹溝３３が全て同じ形状に形成されており、この点で実施形態１のサンドイッチパネル１の構造と異なっている。また、本実施形態の凹溝３３は、溝奥に向かうほど対向間の距離が短くなる断面Ｖ字状の溝（Ｖ溝６）によって構成される。なお、本実施形態の凹溝３３は、具体的に、幅がおよそ５ｍｍに形成され、深さがおよそ８ｍｍに形成される。
【００８０】
また、本実施形態の各凹溝３３は、一対のＶ溝６，６によって構成される。つまり、本実施形態の溝部３２は、一対のＶ溝６，６が３セット並んで形成されており、計６つのＶ溝６によって構成されている。
【００８１】
このような構成のサンドイッチパネル１であっても平面部３１が溝部３２によって区切られているため、溝部３２が設けられていないものよりも、反りを抑制することができる。
【００８２】
以上、実施形態１〜８のサンドイッチパネルは、突条および溝部が、サンドイッチパネルの長さ方向に沿って設けられていたが、例えば、幅方向に沿って設けられたものであってもよく、特に限定されない。
【００８３】
また、溝部の断面形状は、実施形態１〜８の溝部の断面形状に限定されない。例えば、台形（実施形態１〜６）、Ｖ形（実施形態７，８）のほか、コ字形、半円形等が挙げられる。
【００８４】
（実施例）
本実施形態のサンドイッチパネルにおいて、従来のサンドイッチパネルに対する効果を確認するため、比較を行った。
【００８５】
反りの程度（変形量）を測定するため、サンドイッチパネルの製造後に、当該サンドイッチパネルを恒温恒湿試験機（０℃）に入れて１日間保管した。その後、恒温恒湿試験機から取り出したサンドイッチパネルについて、図９に示すＨ箇所の寸法（以下、反り寸法という）を測定した。
【００８６】
各サンドイッチパネルは、第１の金属外皮および第２の金属外皮として、塗装ガルバリウム鋼板を用い、芯材として、ポリイソシアヌレートフォームを用いた。その測定結果を以下に示す。
【００８７】
（凹溝のピッチについて）
図１０（ａ）には実施例１を示し、図１０（ｂ）には実施例２を示し、図１０（ｃ）には比較例を示す。実施例１として、実施形態１のサンドイッチパネルを用い、実施例２として、実施形態２のサンドイッチパネルを用いて反り寸法の測定を行った。なお、比較例として、第２の金属外皮に溝部が設けられていない従来のサンドイッチパネルの反り寸法の測定も合わせて行った。
【００８８】
実施例１は、中央の凹溝として、幅が６０ｍｍ、深さが１０ｍｍとした。また左右の凹溝として、幅が２５ｍｍ、深さが５ｍｍとした。また、実施例２は、中央の凹溝として、幅が６０ｍｍ、深さが１０ｍｍとした。その測定結果を表１に示す。
【００８９】
【表１】
2015117549.tif 000003
【００９０】
表１からも分かるように、実施例１，２のサンドイッチパネルは、従来のサンドイッチパネルに比べて、反りが抑制されていることが分かった。また、サンドイッチパネルにおいて、凹溝が１つだけ設けられたものであっても、複数設けられたものであっても、従来のサンドイッチパネルに比べて、反りが抑制されていることが分かった。
【００９１】
（凹溝と突条との位置関係について）
図１１（ａ）には実施例３を示し、図１１（ｂ）には実施例４を示し、図１１（ｃ）には比較例を示す。実施例３として、実施形態３のサンドイッチパネルを用い、実施例４として、実施形態４のサンドイッチパネルを用いて反り寸法の測定を行った。なお、比較例として、第２の金属外皮に溝部が設けられていない従来のサンドイッチパネルの反り寸法の測定も合わせて行った。
【００９２】
実施例３，４の凹溝は、それぞれ、幅が２５ｍｍ、深さが５ｍｍとした。その測定結果を表２に示す。
【００９３】
【表２】
2015117549.tif 000004
【００９４】
表２からも分かるように、実施例３，４のサンドイッチパネルは、従来のサンドイッチパネルに比べて、反りが抑制されていることが分かった。また、サンドイッチパネルにおいて、凹溝が突条の存在する領域に設けられたものであっても、突条の存在する領域以外に設けられたものであっても、従来のサンドイッチパネルに比べて、反りが抑制されていることが分かった。
【００９５】
（凹溝の深さについて）
図１２（ａ）には実施例５を示し、図１２（ｂ）には実施例６を示し、図１２（ｃ）には比較例を示す。実施例５として、実施形態５のサンドイッチパネルを用い、実施例６として、実施形態６のサンドイッチパネルを用いて反り寸法の測定を行った。なお、比較例として、第２の金属外皮に溝部が設けられていない従来のサンドイッチパネルの反り寸法の測定も合わせて行った。
【００９６】
実施例５の凹溝は、幅が６０ｍｍ、深さが８ｍｍとした。また、実施例６の凹溝は、幅が６０ｍｍ、深さが５ｍｍとした。その測定結果を表３に示す。
【００９７】
【表３】
2015117549.tif 000005
【００９８】
表３からも分かるように、実施例５，６のサンドイッチパネルは、従来のサンドイッチパネルに比べて、反りが抑制されていることが分かった。また、サンドイッチパネルにおいて、凹溝の深さが大きいほど、従来のサンドイッチパネルに比べて、反りが抑制されることが分かった。
【００９９】
（凹溝の深さについて）
図１３（ａ）には実施例７を示し、図１３（ｂ）には実施例８を示し、図１３（ｃ）には比較例を示す。実施例７として、実施形態７のサンドイッチパネルを用い、実施例８として、実施形態８のサンドイッチパネルを用いて反り寸法の測定を行った。なお、比較例として、第２の金属外皮に溝部が設けられていない従来のサンドイッチパネルの反り寸法の測定も合わせて行った。
【０１００】
実施例７の凹溝として、Ｖ溝を用いた。各Ｖ溝は、幅が５ｍｍ、深さが５ｍｍとした。また、実施例６の凹溝として、一対のＶ溝を用いた。一対のＶ溝間の寸法は４０ｍｍとした。各Ｖ溝は、幅が５ｍｍ、深さが８ｍｍとした。その測定結果を表４に示す。
【０１０１】
【表４】
2015117549.tif 000006
【０１０２】
表４からも分かるように、実施例７，８のサンドイッチパネルは、従来のサンドイッチパネルに比べて、反りが抑制されていることが分かった。また、凹溝の形状によらず、従来のサンドイッチパネルに比べて、反りが抑制されることが分かった。
【符号の説明】
【０１０３】
１      サンドイッチパネル
２      第１の金属外皮
２１    平坦部
２２    突条
２３    頂部
２４    傾斜部
２５    表側接続部
２６    受け部
２７    覆い部
３      第２の金属外皮
３１    平面部
３２    溝部
３３    凹溝
３４    第１の溝
３５    第２の溝
３６    第３の溝
３７    裏側接続部
３８    突起部
３９    挿入部
４      パッキン
５      樹脂芯材
【図１】
2015117549.tif 000007
【図２】
2015117549.tif 000008
【図３】
2015117549.tif 000009
【図４】
2015117549.tif 000010
【図５】
2015117549.tif 000011
【図６】
2015117549.tif 000012
【図７】
2015117549.tif 000013
【図８】
2015117549.tif 000014
【図９】
2015117549.tif 000015
【図１０】
2015117549.tif 000016
【図１１】
2015117549.tif 000017
【図１２】
2015117549.tif 000018
【図１３】
2015117549.tif 000019